(57)【特許請求の範囲】
【請求項１】
画像データ毎に設けられた複数のサムネイルを、表示装置の画面に形成される所定の表示領域に一覧表示するサムネイル表示装置であって、
前記所定の表示領域に対応したメモリ領域を用意し、該メモリ領域に前記複数のサムネイルを描画するサムネイル描画手段と、
前記サムネイル描画手段によりサムネイルの描画がなされた前記メモリ領域の内容を前記表示装置に出力することにより、前記所定の表示領域の表示を行なう表示制御手段と、
画像処理を定める補正情報を入力する補正情報入力手段と、
前記サムネイル描画手段によりサムネイルの描画がなされた前記メモリ領域の内容に対して、前記補正情報入力手段により入力された補正情報に基づく画像処理を施すことにより、前記所定の表示領域の表示を補正する表示補正手段と
を備えるサムネイル表示装置。
【請求項２】
前記補正情報は、補正処理の種類と、補正の強度を示すパラメータとを備える構成である請求項１に記載のサムネイル表示装置。
【請求項３】
請求項１または２に記載のサムネイル表示装置であって、
前記所定の表示領域に表示された複数のサムネイルの中から一のサムネイルを代表サムネイルとして選択する選択手段
を備え、
前記補正情報入力手段は、
前記代表サムネイルに対応する画像データに対して施す所定の補正処理についての補正情報を、操作者からの操作指令に応じて入力して、該入力された補正情報を、当該補正情報入力手段の入力された補正情報と定める構成である
サムネイル表示装置。
【請求項４】
請求項３に記載のサムネイル表示装置であって、
前記補正情報入力手段は、
前記代表サムネイルを前記入力された補正情報に基づいて補正して得られる補正済代表サムネイルを表示する補正済代表サムネイル表示手段と、
前記補正済代表サムネイルを許容するか否かを、操作者からの操作指令に基づいて判定する補正済代表サムネイル判定手段と、
前記補正済代表サムネイル判定手段により許容するとの判定がなされたときに、前記入力された補正情報を、当該補正情報入力手段の入力された補正情報と定める手段と
を備えるサムネイル表示装置。
【請求項５】
請求項１ないし４のいずれかに記載のサムネイル表示装置であって、
前記サムネイル描画手段によりサムネイルの描画がなされた前記メモリ領域の内容から、前記メモリ領域と同一サイズで前記サムネイルの描画部分以外を隠すマスクデータを作成するマスク作成手段
を備え、
前記表示補正手段は、
前記メモリ領域の内容を前記マスクデータで覆った上で、前記画像処理を施す処理を実行する手段
を備えるサムネイル表示装置。
【請求項６】
前記所定の表示領域は、1つのウィンドウを複数のペインに分割したときの1つのペインである請求項１ないし５のいずれかに記載のサムネイル表示装置。
【請求項７】
画像データを補正する画像補正装置であって、
画像データ毎に設けられた複数のサムネイルを、表示装置の画面に形成される所定の表示領域に一覧表示するサムネイル表示手段と、
前記一覧表示された複数のサムネイルの中から一のサムネイルを選択して、該選択したサムネイルに対応する画像データを対象画像データとしてメモリから読み出す対象画像読出手段と、
前記読み出した対象画像データを補正する画像補正手段と
を備え、
前記サムネイル表示手段は、
前記所定の表示領域に対応したメモリ領域を用意し、該メモリ領域に前記複数のサムネイルを描画するサムネイル描画手段と、
前記サムネイル描画手段によりサムネイルの描画がなされた前記メモリ領域の内容を前記表示装置に出力することにより、前記所定の表示領域の表示を行なう表示制御手段と、
画像処理を定める補正情報を入力する補正情報入力手段と、
前記サムネイル描画手段によりサムネイルの描画がなされた前記メモリ領域の内容に対して、前記補正情報入力手段により入力された補正情報に基づく画像処理を施すことにより、前記所定の表示領域の表示を補正する表示補正手段と
を備える画像補正装置。
【請求項８】
前記画像補正手段は、前記補正情報入力手段により入力された補正情報に基づいて前記対象画像データを補正する構成である請求項７に記載の画像補正装置。
【請求項９】
画像データ毎に設けられた複数のサムネイルを、表示装置の画面に形成される所定の表示領域に一覧表示するサムネイル表示方法であって、
前記所定の表示領域に対応したメモリ領域を用意し、該メモリ領域に前記複数のサムネイルを描画し、
前記サムネイルの描画がなされた前記メモリ領域の内容を前記表示装置に出力することにより、前記所定の表示領域の表示を行ない、
画像処理を定める補正情報を入力し、
前記サムネイルの描画がなされた前記メモリ領域の内容に対して、前記入力された補正情報に基づく画像処理を施すことにより、前記所定の表示領域の表示を補正する
サムネイル表示方法。
【請求項１０】
画像データ毎に設けられた複数のサムネイルを、表示装置の画面に形成される所定の表示領域に一覧表示し、
前記一覧表示された複数のサムネイルの中から一のサムネイルを選択して、該選択したサムネイルに対応する画像データを対象画像データとしてメモリから読み出し、
前記読み出した対象画像データを補正する画像補正方法であって、
前記サムネイルを一覧表示する構成は、
前記所定の表示領域に対応したメモリ領域を用意し、該メモリ領域に前記複数のサムネイルを描画し、
前記サムネイルの描画がなされた前記メモリ領域の内容を前記表示装置に出力することにより、前記所定の表示領域の表示を行ない、
画像処理を定める補正情報を入力し、
前記サムネイルの描画がなされた前記メモリ領域の内容に対して、前記入力された補正情報に基づく画像処理を施すことにより、前記所定の表示領域の表示を補正する構成である
画像補正方法。
【請求項１１】
画像データ毎に設けられた複数のサムネイルを、表示装置の画面に形成される所定の表示領域に一覧表示するためのコンピュータプログラムであって、
（ａ）前記所定の表示領域に対応したメモリ領域を用意し、該メモリ領域に前記複数のサムネイルを描画する機能と、
（ｂ）前記機能（ａ）によりサムネイルの描画がなされた前記メモリ領域の内容を前記表示装置に出力することにより、前記所定の表示領域の表示を行なう機能と、
（ｃ）画像処理を定める補正情報を入力する機能と、
（ｄ）前記機能（ａ）によりサムネイルの描画がなされた前記メモリ領域の内容に対して、前記機能（ｃ）により入力された補正情報に基づく画像処理を施すことにより、前記所定の表示領域の表示を補正する機能と
をコンピュータに実現させるためのコンピュータプログラム。
【請求項１２】
前記補正情報は、補正処理の種類と、補正の強度を示すパラメータとを備える構成である請求項１１に記載のコンピュータプログラム。
【請求項１３】
前記所定の表示領域は、1つのウィンドウを複数のペインに分割したときの1つのペインである請求項１１または１２に記載のコンピュータプログラム。
【請求項１４】
画像データを補正するためのコンピュータプログラムであって、
（ａ）画像データ毎に設けられた複数のサムネイルを、表示装置の画面に形成される所定の表示領域に一覧表示する機能と、
（ｂ）前記一覧表示された複数のサムネイルの中から一のサムネイルを選択して、該選択したサムネイルに対応する画像データを対象画像データとしてメモリから読み出す機能と、
（ｃ）前記読み出した対象画像データを補正する機能と
をコンピュータに実現させるとともに、
前記機能（ａ）は、
（ａ１）前記所定の表示領域に対応したメモリ領域を用意し、該メモリ領域に前記複数のサムネイルを描画する機能と、
（ａ２）前記機能（ａ１）によりサムネイルの描画がなされた前記メモリ領域の内容を前記表示装置に出力することにより、前記所定の表示領域の表示を行なう機能と、
（ａ３）画像処理を定める補正情報を入力する機能と、
（ａ４）前記機能（ａ１）によりサムネイルの描画がなされた前記メモリ領域の内容に対して、前記機能（ａ３）により入力された補正情報に基づく画像処理を施すことにより、前記所定の表示領域の表示を補正する機能と
を備えるコンピュータプログラム。
【請求項１５】
請求項１１ないし１４のいずれかに記載のコンピュータプログラムを記録したコンピュータ読み取り可能な記録媒体。
【発明の詳細な説明】
【技術分野】
【０００１】
本発明は、画像データ毎に設けられたサムネイルを表示する技術に関するものである。
【背景技術】
【０００２】
近年、電子スチールカメラ、いわゆるデジタルカメラが開発され、一般に普及している。デジタルカメラで得られた画像データは、パーソナルコンピュータに取り込んで、専用のアルバムソフトウェアを使えば、管理、閲覧を容易に行なうことができる。一方、フォトレタッチソフトウェアを使えば、画像データの明るさやコントラスト等を容易に補正（加工）することができる。
【０００３】
上記アルバムソフトウェアでは、画像データ毎に設けられた複数のサムネイル（画像データの縮小見本）を画面に一覧表示する機能を備えるものが一般的である。さらには、画面に表示された各サムネイルに対して一括して画像処理を施すことで、各画像データの補正済の画像をサムネイルの表示から確認できるようにした技術が提案されている（例えば、下記の特許文献１）。この構成によれば、補正の確認作業を大幅に短縮することができる。
【０００４】
【特許文献１】特開２０００−２１５３２２
【０００５】
しかしながら、上記の従来の技術では、サムネイル毎に画像処理を施す必要があることから、サムネイルの再表示に時間がかかり、作業性を十分に高めることができないという問題があった。
【発明の開示】
【発明が解決しようとする課題】
【０００６】
本発明の解決しようとする課題は、補正処理の結果をサムネイルの一覧表示から確認可能としつつ、より一層の作業性の向上を図ることにある。
【課題を解決するための手段】
【０００７】
前述した課題の少なくとも一部を解決するための手段として、以下に示す構成をとった。
【０００８】
本発明のサムネイル表示装置は、
画像データ毎に設けられた複数のサムネイルを、表示装置の画面に形成される所定の表示領域に一覧表示するサムネイル表示装置であって、
前記所定の表示領域に対応したメモリ領域を用意し、該メモリ領域に前記複数のサムネイルを描画するサムネイル描画手段と、
前記サムネイル描画手段によりサムネイルの描画がなされた前記メモリ領域の内容を前記表示装置に出力することにより、前記所定の表示領域の表示を行なう表示制御手段と、
画像処理を定める補正情報を入力する補正情報入力手段と、
前記サムネイル描画手段によりサムネイルの描画がなされた前記メモリ領域の内容に対して、前記補正情報入力手段により入力された補正情報に基づく画像処理を施すことにより、前記所定の表示領域の表示を補正する表示補正手段と
を備えることを特徴としている。
【０００９】
上記構成のサムネイル表示装置によれば、所定の表示領域に対応したメモリ領域に複数のサムネイルを描画し、そのメモリ領域の内容を表示装置に出力することにより、複数のサムネイルが所定の表示領域に一覧表示される。さらに、画像処理を定める補正情報を入力して、その入力された補正情報に基づく画像処理を前記メモリ領域の内容に対して施すことにより、前記所定の表示領域の表示が補正される。
【００１０】
したがって、本発明のサムネイル表示装置は、補正処理の結果をサムネイルの一覧表示から確認可能とすることができる。さらに、所定の表示領域が一度の画像処理で補正がなされることから、サムネイル毎に画像処理を施す必要がない。このために、サムネイルの再表示に時間がかからないことから、作業性を十分に高めることができる。
【００１１】
前記補正情報は、補正処理の種類と、補正の強度を示すパラメータとを備える構成としてもよい。この構成によれば、種々の補正処理の種類について、様々な補正の強度でもって補正を行なうことができる。
【００１２】
本発明のサムネイル表示装置において、前記所定の表示領域に表示された複数のサムネイルの中から一のサムネイルを代表サムネイルとして選択する選択手段を備え、前記補正情報入力手段は、前記代表サムネイルに対応する画像データに対して施す所定の補正処理についての補正情報を、操作者からの操作指令に応じて入力して、該入力された補正情報を、当該補正情報入力手段の入力された補正情報と定める構成としてもよい。
【００１３】
前記構成によれば、代表サムネイルに対して所定の補正処理についての補正情報を試験的に施すことができることから、操作性に優れている。
【００１４】
上記の代表サムネイルに対して試験的に所定の補正処理についての補正情報を施す構成のサムネイル表示装置において、前記補正情報入力手段は、前記代表サムネイルを前記入力された補正情報に基づいて補正して得られる補正済代表サムネイルを表示する補正済代表サムネイル表示手段と、前記補正済代表サムネイルを許容するか否かを、操作者からの操作指令に基づいて判定する補正済代表サムネイル判定手段と、前記補正済代表サムネイル判定手段により前記補正済代表サムネイルを許容するとの判定がなされたときに、前記入力された補正情報を、当該補正情報入力手段の入力された補正情報と定める手段とを備える構成としてもよい。
【００１５】
上記構成によれば、代表サムネイルに対して所定の補正処理についての補正情報を試験的に施した結果を補正済代表サムネイルとして画面に表示して、操作者は補正済代表サムネイルを許容するか否かを判定して、許容するとの判定がなされたときに限り、入力された補正情報を定めることができ、この定められた補正情報でもって、サムネイルの表示された所定の表示領域の補正を行なうことができる。したがって、操作者による補正の確認作業が容易である。
【００１６】
本発明のサムネイル表示装置において、前記サムネイル描画手段によりサムネイルの描画がなされた前記メモリ領域の内容から、前記メモリ領域と同一サイズで前記サムネイルの描画部分以外を隠すマスクデータを作成するマスク作成手段を備え、前記表示補正手段は、前記メモリ領域の内容を前記マスクデータで覆った上で、前記画像処理を施す処理を実行する手段を備える構成としてもよい。
【００１７】
この構成によれば、所定の表示領域の中のサムネイルの描画部分だけに画像処理を施すことができることから、サムネイルの描画部分以外の部分に画像処理が施されることがない。
【００１８】
前記所定の表示領域は、1つのウィンドウを複数のペインに分割したときの、1つのペインである構成としてもよい。
【００１９】
本発明のサムネイル表示方法は、
画像データ毎に設けられた複数のサムネイルを、表示装置の画面に形成される所定の表示領域に一覧表示するサムネイル表示方法であって、
前記所定の表示領域に対応したメモリ領域を用意し、該メモリ領域に前記複数のサムネイルを描画し、
前記サムネイルの描画がなされた前記メモリ領域の内容を前記表示装置に出力することにより、前記所定の表示領域の表示を行ない、
画像処理を定める補正情報を入力し、
前記サムネイルの描画がなされた前記メモリ領域の内容に対して、前記入力された補正情報に基づく画像処理を施すことにより、前記所定の表示領域の表示を補正することを特徴としている。
【００２０】
本発明の第１のコンピュータプログラムは、
画像データ毎に設けられた複数のサムネイルを、表示装置の画面に形成される所定の表示領域に一覧表示するためのコンピュータプログラムであって、
（ａ）前記所定の表示領域に対応したメモリ領域を用意し、該メモリ領域に前記複数のサムネイルを描画する機能と、
（ｂ）前記機能（ａ）によりサムネイルの描画がなされた前記メモリ領域の内容を前記表示装置に出力することにより、前記所定の表示領域の表示を行なう機能と、
（ｃ）画像処理を定める補正情報を入力する機能と、
（ｄ）前記機能（ａ）によりサムネイルの描画がなされた前記メモリ領域の内容に対して、前記機能（ｃ）により入力された補正情報に基づく画像処理を施すことにより、前記所定の表示領域の表示を補正する機能と
をコンピュータに実現させることを特徴としている。
【００２１】
本発明のサムネイル表示方法および第１のコンピュータプログラムによっても、本発明のサムネイル表示装置と同様に、補正処理の結果をサムネイルの一覧表示から確認可能としつつ、サムネイルの再表示に時間がかからないことから、作業性を十分に高めることができるという効果を奏する。
【００２２】
本発明の画像補正装置は、
画像データを補正する画像補正装置であって、
画像データ毎に設けられた複数のサムネイルを、表示装置の画面に形成される所定の表示領域に一覧表示するサムネイル表示手段と、
前記一覧表示された複数のサムネイルの中から一のサムネイルを選択して、該選択したサムネイルに対応する画像データを対象画像データとしてメモリから読み出す対象画像読出手段と、
前記読み出した対象画像データを補正する画像補正手段と
を備え、
前記サムネイル表示手段は、
前記所定の表示領域に対応したメモリ領域を用意し、該メモリ領域に前記複数のサムネイルを描画するサムネイル描画手段と、
前記サムネイル描画手段によりサムネイルの描画がなされた前記メモリ領域の内容を前記表示装置に出力することにより、前記所定の表示領域の表示を行なう表示制御手段と、
画像処理を定める補正情報を入力する補正情報入力手段と、
前記サムネイル描画手段によりサムネイルの描画がなされた前記メモリ領域の内容に対して、前記補正情報入力手段により入力された補正情報に基づく画像処理を施すことにより、前記所定の表示領域の表示を補正する表示補正手段と
を備えることを特徴としている。
【００２３】
上記構成の画像補正装置に備えられるサムネイル表示手段によれば、本発明のサムネイル表示装置と同様に、補正処理の結果をサムネイルの一覧表示から確認可能としつつ、サムネイルの再表示に時間がかからないことから、作業性を十分に高めることができる。したがって、本発明の画像補正装置によれば、作業性を十分に高めることができる。
【００２４】
本発明の画像補正方法は、
画像データ毎に設けられた複数のサムネイルを、表示装置の画面に形成される所定の表示領域に一覧表示し、
前記一覧表示された複数のサムネイルの中から一のサムネイルを選択して、該選択したサムネイルに対応する画像データを対象画像データとしてメモリから読み出し、
前記読み出した対象画像データを補正する画像補正方法であって、
前記サムネイルを一覧表示する構成は、
前記所定の表示領域に対応したメモリ領域を用意し、該メモリ領域に前記複数のサムネイルを描画し、
前記サムネイルの描画がなされた前記メモリ領域の内容を前記表示装置に出力することにより、前記所定の表示領域の表示を行ない、
画像処理を定める補正情報を入力し、
前記サムネイルの描画がなされた前記メモリ領域の内容に対して、前記入力された補正情報に基づく画像処理を施すことにより、前記所定の表示領域の表示を補正する構成であることを特徴としている。
【００２５】
本発明の第２のコンピュータプログラムは、
画像データを補正するためのコンピュータプログラムであって、
（ａ）画像データ毎に設けられた複数のサムネイルを、表示装置の画面に形成される所定の表示領域に一覧表示する機能と、
（ｂ）前記一覧表示された複数のサムネイルの中から一のサムネイルを選択して、該選択したサムネイルに対応する画像データを対象画像データとしてメモリから読み出す機能と、
（ｃ）前記読み出した対象画像データを補正する機能と
をコンピュータに実現させるとともに、
前記機能（ａ）は、
（ａ１）前記所定の表示領域に対応したメモリ領域を用意し、該メモリ領域に前記複数のサムネイルを描画する機能と、
（ａ２）前記機能（ａ１）によりサムネイルの描画がなされた前記メモリ領域の内容を前記表示装置に出力することにより、前記所定の表示領域の表示を行なう機能と、
（ａ３）画像処理を定める補正情報を入力する機能と、
（ａ４）前記機能（ａ１）によりサムネイルの描画がなされた前記メモリ領域の内容に対して、前記機能（ａ３）により入力された補正情報に基づく画像処理を施すことにより、前記所定の表示領域の表示を補正する機能と
を備えることを特徴としている。
【００２６】
本発明の画像補正方法および第２のコンピュータプログラムによっても、本発明の画像補正装置と同様に、作業性を十分に高めることができるという効果を奏する。
【００２７】
本発明は、以下のような他の態様も含んでいる。その第１の態様は、この発明の第１または第２のコンピュータプログラムを通信経路を介して供給するプログラム供給装置としての態様である。この第１の態様では、コンピュータプログラムをコンピュータネットワーク上のサーバなどに置き、通信経路を介して、必要なプログラムをコンピュータにダウンロードし、これを実行することで、上記の方法や装置を実現することができる。
【発明を実施するための最良の形態】
【００２８】
本発明を実施するための最良の形態を実施例に基づき説明する。この実施例を、次の順序に従って説明する。
Ａ．装置の構成：
Ｂ．コンピュータ処理：
Ｃ．作用・効果
Ｄ．他の実施形態：
【００２９】
Ａ．装置の構成：
図１は、本発明の一実施例を適用するコンピュータシステムの概略構成を示す説明図である。この実施例のコンピュータシステムは、本発明のサムネイル表示装置を構成するパーソナルコンピュータ１０を中心に備え、その周辺装置として、ディスプレイ２０とキーボード２２とマウス２４を備える。さらに、パーソナルコンピュータ１０には、デジタルカメラ２６とプリンタ２８が接続されている。
【００３０】
パーソナルコンピュータ１０は、中央演算処理装置としてのＣＰＵ１１を中心にバス１２により相互に接続されたＲＯＭ１３、ＲＡＭ１４、ビデオメモリ１５、ハードディスクドライブ１６、入力制御部１７、表示制御部１８等を備える。ＲＯＭ１３は、内蔵されている各種プログラム等を記憶する読み出し専用のメモリである。ＲＡＭ１４は、各種データ等を記憶する読み出し・書込み可能なメモリである。ビデオメモリ１５は、ディスプレイ２０に表示する画像の画像データを保持するメモリである。ハードディスクドライブ１６は、サムネイル表示装置のソフトウェアとしてのコンピュータプログラムＰｒを記憶する。また、ハードディスクドライブ１６には、デジタルカメラ２６によって撮影した写真画像（カラー写真画像）の画像データＤｐが、多数、格納される。
【００３１】
入力制御部１７は、キーボード２２やマウス２４から入力操作を取り込むと共に、デジタルカメラ２６から画像データを取り込む制御部である。表示制御部１８は、ビデオメモリ１５に記憶される表示画像データに基づいて、ディスプレイ２０における画像の表示を制御する制御部である。
【００３２】
コンピュータプログラムＰｒは、もともとは、記録媒体としてのＣＤ−ＲＯＭ（図示せず）に記憶されており、所定のインストールプログラムを起動することで、そのＣＤ−ＲＯＭからハードディスクドライブ１６にインストールされたものである。このコンピュータプログラムＰｒをＣＰＵ１１が実行することにより、本発明のサムネイル表示装置の各種構成要件は実現される。
【００３３】
図１では、各種構成要件が、ＣＰＵ１１の内部で実現される機能のブロックによって示されている。すなわち、ＣＰＵ１１は、コンピュータプログラムＰｒを実行することにより、サムネイル描画部３０および表示制御部３２により、画像データＤｐ毎に設けられた複数のサムネイルを所定の表示領域に一覧表示する。さらに、補正情報入力部３４および表示補正部３６により、所定の表示領域の表示を補正する。
【００３４】
このコンピュータプログラムＰｒは、実際は、フォトアルバム機能を併せ持つフォトレタッチ用のアプリケーションプログラムであり、その中の一部のモジュールによって、上述したサムネイル描画部３０、表示制御部３２、補正情報入力部３４および表示補正部３６の各機能をパーソナルコンピュータ１０に実現させる。
【００３５】
なお、コンピュータプログラムＰｒは、ＣＤ−ＲＯＭに替えて、フレキシブルディスク、光磁気ディスク、ＩＣカード等の他の携帯型記録媒体（可搬型記録媒体）に格納された構成として、これらから提供されたものとすることができる。また、このコンピュータプログラムＰｒは、外部のネットワークに接続される特定のサーバから、ネットワークを介して提供されたものとすることもできる。上記ネットワークとしては、インターネットであってもよく、特定のホームページからダウンロードして得たコンピュータプログラムであってもよい。あるいは、電子メールの添付ファイルの形態で供給されたコンピュータプログラムであってもよい。
【００３６】
Ｂ．コンピュータ処理：
コンピュータプログラムＰｒは、前述したように、フォトアルバム機能を併せ持つフォトレタッチ用のアプリケーションプログラムであることから、前述した各部３０〜３６以外にも様々な機能を有する。コンピュータプログラムＰｒが備えるこれらの機能は、大まかには、４つに分けられる。第１の機能は、ハードディスクドライブ１６に格納された画像データＤｐ毎に設けられたサムネイルの一覧を表示する機能である。この第１の機能には、前述したサムネイル描画部３０、表示制御部３２、補正情報入力部３４、表示補正部３６が含まれる。第２の機能は、第１の機能で表示されたサムネイルの一覧から一つを選択して、この選択されたサムネイルに対応する画像データＤｐを対象画像データとしてハードディスクドライブ１６から読み出す機能である。第３の機能は、第２の機能によって読み出された対象画像データＤｐを補正（加工）する機能である。第４の機能は、画像補正が施された対象画像データＤｐをハードディスクドライブ１６に保存したりプリンタ２８から印刷出力する機能である。第１および第２の機能がフォトアルバム機能に相当し、第３および第４の機能がフォトレタッチの機能に相当する。
【００３７】
図２は、このコンピュータプログラムＰｒにより表示されるアプリケーションウィンドウＷＤ１の初期状態を示す説明図である。アプリケーションウィンドウＷＤ１は、グラフィカル・ユーザ・インタフェース（ＧＵＩ）を構成しており、図示するように、メニューバーＦＬ１と、処理メニュー欄ＦＬ２と、ツールバーＦＬ３と、作業領域ＦＬ４とが設けられている。処理メニュー欄ＦＬ２には、［入力］、［補正］、［印刷］、［出力］の４種類のボタンＢＴ１，ＢＴ２，ＢＴ３，ＢＴ４が、上方から下方に向かって順に並んでおり、操作者は、これらボタンＢＴ１〜ＢＴ４を順にマウス２４によりクリックしていくことで、ディスプレイ２０の画面上で、デジタルカメラ２６で撮影した写真画像を入力して補正して出力する作業を進めていくことができる。
【００３８】
アプリケーションウィンドウＷＤ１の初期状態時には、図２に示すように、［入力］のボタンＢＴ１が選択された状態にあり、このとき、ツールバーＦＬ３には、［ファイルから入力］と［一覧表から入力］の２種類のアイコンＩＣ１，ＩＣ２が設けられている。この［一覧表から入力］のアイコンＩＣ２がクリックされたときに実行される処理が、前述した第１の機能および第２の機能によるものである。［補正］のボタンＢＴ２がクリックされたときに実行される処理が、前述した第３の機能によるものである。［印刷］、［出力］のボタンＢＴ３，ＢＴ４がクリックされたときに実行される処理が、前述した第４の機能によるものである。この実施例では、上記第１の機能について説明し、第２ないし第４の機能については、この発明とは直接関係しないことから説明を省略する。
【００３９】
図３は、この第１の機能を実現するためのサムネイル表示ルーチンを示すフローチャートである。このサムネイル表示ルーチンは、［一覧表から入力］のアイコンＩＣ２がクリックされたときに実行開始される。図示するように、処理が開始されると、［一覧表から入力］用のウィンドウＷＤ２を、ディスプレイ２０に表示する処理を実行する（ステップＳ１００）。
【００４０】
図４は、［一覧表から入力］用のウィンドウＷＤ２を示す説明図である。図示するように、［一覧表から入力］用のウィンドウＷＤ２には、ツールバーＦＬ１１と、ファイル指定用の領域ＦＬ１２と、サムネイル表示用の領域とが設けられている。ファイル指定用の領域ＦＬ１２は、画像データＤｐの格納場所を、「フォルダ」や「フィルム」を用いて指定するためのフィールドである。この指定は、操作者によるマウス２４の入力操作に従うものである。また、ハードディスクドライブ１６は勿論のこと、ＣＤ−ＲＯＭ等の他の記録媒体上の格納場所を指定することができ、デジタルカメラ２６の記録媒体を直接指定することもできる。
【００４１】
サムネイル表示用の領域（以下、「サムネイル表示領域」と呼ぶ）ＦＬ１３は、ファイル指定用の領域ＦＬ１２で指定されたフォルダまたはフィルムに格納されている複数の画像データＤｐをサムネイルにて一覧表示するためのものである。サムネイル表示領域ＦＬ１３は、いわゆるペインであり、本発明の「所定の表示領域」に相当する。ペインは、ＧＵＩにおいて、1つのウィンドウをいくつかの表示領域に分割したときの、1つの領域のことである。
【００４２】
ステップＳ１１０の段階では、ファイル指定用の領域ＦＬ１２を用いたフォルダ（あるいはフィルム）の指定はなされておらず、サムネイル表示領域ＦＬ１３は空欄となっている。図３に戻って、ＣＰＵ１１は、ステップＳ１２０で操作者の指示を受けてフォルダ（あるいはフィルム）の指定を行ない、ステップＳ１３０で、その指定されたファイルまたはフォルダに格納されている複数の画像データＤｐの各サムネイルをサムネイル表示領域ＦＬ１３に表示する。
【００４３】
デジタルカメラ２６によって得られる画像ファイルは、通常、Ｅｘｉｆ形式の画像ファイルであることから、画像データＤｐのサムネイルを表わすサムネイルデータが付属している。ステップＳ１３０では、このサムネイルデータを用いて表示を行なう。なお、サムネイル表示領域ＦＬ１３に表示されるサムネイルは、デジタルカメラ２６によって得られた画像データに限る訳ではなく、ステップＳ１２０で指定されたフォルダあるいはフィルムに格納されている種々のデータ形式の画像データが対象となる。このためサムネイルデータが付属していない画像データについては、ステップＳ１２０で画像データを縮小する処理を行なってサムネイルを生成して、そのサムネイルを表示するようになされている。
【００４４】
図示の例では、サムネイル表示領域ＦＬ１３には１０個のサムネイルが表示されており、１２個まではそのまま表示が可能となっている。１３個以上の数のサムネイルが存在する場合には、サムネイル表示領域ＦＬ１３の右側にスクロールバーが現われて、このスクロールバーの操作によって、全ての数のサムネイルを画面のスクロールによって順に表示させることが可能となっている。
【００４５】
詳細には、ステップＳ１３０では、サムネイル表示領域ＦＬ１３に対応した描画領域をＲＡＭ１４に確保しておき、サムネイル表示領域ＦＬ１３に表示しようとする複数のサムネイルを、上記描画領域に順に描画（展開）し、その後、この描画領域の内容をビデオメモリ１５に転送することにより、上記サムネイル表示領域ＦＬ１３へのサムネイルの表示を行なっている。上記ＲＡＭ１４に確保した描画領域が、本発明の「メモリ領域」に相当する。このステップＳ１３０が、前述したサムネイル描画部３０および表示制御部３２（図１）に対応する。なお、このステップＳ１３０では、サムネイルの描画と共に、サムネイル表示領域ＦＬ１３内に表示する各種のパーツも併せて描画領域に描画する処理も行なっている。各種のパーツとしては、例えば、図４に示すように、サムネイルＴＨの上下に配置された「番号」と「ファイル名」の文字列Ｃ１，Ｃ２や、サムネイルの上下の背景ＢＫ等である。
【００４６】
ステップＳ１３０でサムネイルの一覧表示がなされると、次いで、ＣＰＵ１１は、［補正表示］アイコンＩＣ１２がクリックされたか否かを判定する（ステップＳ１４０）。［補正表示］アイコンＩＣ１２は、［一覧表から入力］用のウィンドウＷＤ２のツールバーＦＬ１１に設けられており、一覧表示されたサムネイルに対して一括して画像処理をかけたい場合に操作者によって操作されるものである。ステップＳ１４０で、［補正表示］アイコンＩＣ１２がクリックされないと判定された場合には、「リターン」に抜けて、このサムネイル表示ルーチンを一旦終了する。
【００４７】
一方、ステップＳ１４０で［補正表示］アイコンＩＣ１２がクリックされたと判定された場合には、フィルタメニューＭＮを開く（表示する）処理を行なう。フィルタメニューＭＮは、［補正表示］アイコンＩＣ１２の下方にプルダウン形式で表示されるものであり、画像に色々な効果を与えるフィルタの種類の一覧が表示される。フィルタとは、画像データに施す画像処理（補正処理）を定めるためのものであり、種々のものが予め用意されている。
【００４８】
図５は、［補正表示］アイコンＩＣ１２から開いたフィルタメニューＭＮの一例を示す説明図である。図示するように、フィルタメニューＭＮには、「モノトーン化」、「トーンカーブ」、「白・黒・濃度」、「アンシャープマスク」の５種類のフィルタの種類が選択肢として用意されている。操作者は、これら選択肢の中から所望のものをクリックする操作を行なう。
【００４９】
図３に戻って、ステップＳ１５０でフィルタメニューＭＮの表示がなされると、次いで、ＣＰＵ１１は、フィルタメニューＭＮに対する操作者によるクリックの操作を受けることで、フィルタの種類を入力する処理を行なう（ステップＳ１６０）。その後、ＣＰＵ１１は、ステップＳ１６０で入力されたフィルタに対応した画像処理用のダイアログボックスを表示する処理を行なう（ステップＳ１７０）。
【００５０】
図６は、フィルタメニューＭＮにおいて「モノトーン化」の選択肢がクリックされた時に表示される［モノトーン化］用のダイアログボックスＤＢ１の一例を示す説明図である。図示するように、このダイアログボックスＤＢ１には、元画像表示用のフィールドＦＬ２１と、補正済画像表示用のフィールドＦＬ２２と、操作系のフィールドＦＬ２３とが設けられている。
【００５１】
操作系のフィールドＦＬ２３には、赤（Ｒ）、緑（Ｇ）、青（Ｂ）をそれぞれ調整するためのスライダーバーＳＢ１，ＳＢ２，ＳＢ３が設けられている。操作者は、このスライダーバーＳＢ１〜ＳＢ３を操作することで、モノトーン化したい色を指定することができる。すなわち、操作系のフィールドＦＬ２３によって、ステップＳ１６０で入力されたフィルタに対応した画像処理の強度（すなわち補正の強度）を表わすパラメータを指定することができる。
【００５２】
元画像表示用のフィールドＦＬ２１には、サムネイル表示領域ＦＬ１３に表示されている複数のサムネイルの中の一つが代表サムネイルとして表示される。この実施例では、代表サムネイルは、第１番目、すなわち最も左上に表示されているサムネイルと定められている。なお、サムネイルが多数あって、ファイル指定用の領域ＦＬ１２で指定されたフォルダまたはフィルムに格納されている全ての画像データを表示するには前述したようにスクロールが必要な場合にも、あくまでも現在、元画像表示用のフィールドＦＬ２１に表示されている１２個以内のサムネイルの中で最も左上に表示されたものが代表サムネイルと定められる。
【００５３】
また、この実施例の変形例として、上記代表サムネイルを、サムネイル表示領域ＦＬ１３に表示されている複数のサムネイルの中から操作者によりクリックされたものと定める構成としてもよい。この場合には、サムネイル表示領域ＦＬ１３に表示されている複数のサムネイルの中から一のサムネイルを、操作者によるクリック操作を受けて予め選択するように構成して、その後、［補正表示］アイコンＩＣ１２がクリックされるのを待つようにする。サムネイルの選択がなされずに、［補正表示］アイコンＩＣ１２がクリックされた場合には、エラーを表示して、先に代表サムネイルを選択するように操作者に促すようにすればよい。
【００５４】
ＣＰＵ１１は、前述した代表サムネイルに対して、ステップＳ１６０で入力したフィルタに対応した画像処理の種類と操作系のフィールドＦＬ２３から指定したパラメータとから定まる画像処理を実行して、その処理済のサムネイルの画像を補正済画像表示用のフィールドＦＬ２２に表示する。この結果、操作系のフィールドＦＬ２３のスライダーバーＳＢ１〜ＳＢ３の操作に連動して、補正済画像表示用のフィールドＦＬ２２の表示画像が変化する。操作者は、その表示画像が望むモノトーン化の色、すなわち許容できるモノトーン化の色となったと判断した場合に、スライダーバーＳＢ３の下方に設けられた［実行］ボタンＢＴ１１をクリックする操作を行なう。「実行」のボタンＢＴ１２がクリックされると、図３のステップＳ１８０，Ｓ１９０により、そのときのスライダーバーＳＢ１〜ＳＢ３の調整値が、［モノトーン化］用パラメータとしてＲＡＭ３２に記憶される。
【００５５】
ステップＳ１６０ないしＳ１９０の処理により獲得されるパラメータの一例として、ここでは、前述したように、「モノトーン化」について説明したが、その他の画像処理も同様に、その画像処理に関わるパラメータが得られることになる。例えば、「アンシャープマスク」の画像処理においては、アンシャープマスク効果の「半径」、「強度」、「しきい値」のパラメータが得られることになる。
【００５６】
続くステップＳ２００では、ＣＰＵ１１は、ステップＳ１３０でサムネイルの表示のために用いた１ペイン分の描画領域の内容を、ステップＳ１６０で入力したフィルタに対応した画像処理の種類とステップＳ１９０で算出されたパラメータとから定まる画像処理でもって補正する処理を行なう。上記ステップＳ１５０ないしＳ１９０の処理が前述した補正情報入力部３４（図１）に対応し、ステップＳ２００の処理が前述した表示補正部３６（図１）に対応する。その後、ＣＰＵ１１は、ステップＳ２１０で補正後の描画領域の内容をビデオメモリ１５に転送することにより、サムネイル表示領域ＦＬ１３を書き換える（再表示する）処理を行なう（ステップＳ２１０）。ステップＳ２１０の実行後、「リターン」に抜けてこのサムネイル表示ルーチンを終了する。
【００５７】
図７は、ステップＳ２１０の実行後の［一覧表から入力］用のウィンドウＷＤ２の一例を示す説明図である。図示の例は、図４で示した［一覧表から入力］用のウィンドウＷＤ２の状態から、図６で示した［モノトーン化］用のダイアログボックスＤＢ１で定まる画像処理を施した後のものである。図面においてはカラー表示が不可であることから、図示では解りにくいが、サムネイル表示領域ＦＬ１３の内側に表示される表示画像の全体は、上記ダイアログボックスＤＢ１で定まるモノトーン化がなされたものとなる。この結果、サムネイル表示領域ＦＬ１３に表示された全てのサムネイルも、上記ダイアログボックスＤＢ１で定まるモノトーン化がなされたものとなる。
【００５８】
図５に示したフィルタメニューＭＮには、前述したように、「モノトーン化」、「トーンカーブ」、「白・黒・濃度」、「アンシャープマスク」の５種類のフィルタの種類が予め用意されているが、さらに、「作品ノート１」、「作品ノート２」の選択肢が用意されている。「作品ノート」は、画像データに対して施す画像処理（フィルタ）を複数種類記憶したもので、操作者による操作指令に従って作成される。詳細には、操作者は、フィルタメニューＭＮの最下段に設けられた「作品ノートの作成」の選択肢をクリックすることで、［作品ノート作成］用のダイアログボックスＤＢ２を表示して、そのダイアログボックスＤＢ２を用いて作品ノートの作成を行なう。
【００５９】
図８は、［作品ノート作成］用のダイアログボックスＤＢ２の一例を示す説明図である。図示するように、フィルタ用のフィールドＦＬ３１にフィルタの選択肢が複数用意されており、複数のフィルタの選択肢の中から一のフィルタをクリックして、その後、［末尾へ追加］ボタンＢＴ３１をクリックすることで、操作者の望むフィルタを作品ノート用のフィールドＦＬ３２に移行することができる。作品ノート用のフィールドＦＬ３２に移行されたフィルタの中から一つを選択して、［パラメータ設定］ボタンＢＴ３２をクリックすることで、図６に対応した画像処理用のダイアログボックスＤＢ１を表示することができ、このダイアログボックスＤＢ１から画像処理の強度を示すパラメータを設定することができる。その後、［作品ノートを登録］ボタンＢＴ３３をクリックすることで、作品ノート用のフィールドＦＬ３２に登録した複数のフィルタからなる作業を作品ノートとして登録することができる。なお、この際に作品ノートに名称を付けることができ、この名称がフィルタメニューＭＮに追加される。
【００６０】
したがって、操作者は、サムネイルに対して施す効率的な画像処理の作業をパーソナルコンピュータ１０に記憶させることができ、他の画像に対する作品化の作業を行なうときにいつでも利用できる。
【００６１】
Ｃ．作用・効果
以上のように構成された本実施例によれば、図４で示した［一覧表から入力］用のウィンドウＷＤ２に備えられたサムネイル表示領域ＦＬ１３に表示されるサムネイルをペイン、すなわちサムネイル表示領域ＦＬ１３ごと一括して補正することができる。例えばモノトーン化のように元画像のイメージと補正後のイメージとが大きく異なる場合、元画像をそのまま見ていても最終的な作品になったときのイメージがわきにくい。これに対し、本実施例では、補正済みのサムネイルの一覧によって各画像データの補正後のイメージを掴むことができることから、複数の画像データから真に作品に適した１枚を容易に選択することができる。
【００６２】
さらに、この実施例では、画像処理をペインであるサムネイル表示領域ＦＬ１３の画像に対して一度施すだけで、各サムネイルの補正を行なうことができることから、処理速度が速く、サムネイルの再表示に時間がかかるようなことがない。したがって、作業性を十分に高めることができる。
【００６３】
Ｄ．他の実施形態：
本発明は上記の実施例や実施形態に限られるものではなく、本発明の要旨を逸脱しない範囲において種々なる態様にて実施することが可能であり、例えば次のような変形も可能である。
【００６４】
（１）前記実施例では、本発明の「メモリ領域」に相当する描画領域をＲＡＭ１４に確保して、この描画領域に対してサムネイルを描画したり画像処理を施した上で、描画領域の内容をビデオメモリに転送するようにしていたが、これに換えて、描画領域を用いることなく次の構成としてもよい。まず、ビデオメモリ１５に対して、サムネイル表示領域ＦＬ１３にサムネイルを描画する処理を行ない、その後、ビデオメモリ１５に展開されたウィンドウＷＤ２を表わす描画データをＲＡＭ１４に転送（コピー）する。そうして、ＲＡＭ１４に転送された描画データのうちのサムネイル表示領域ＦＬ１３に対応する部分に対して前記画像処理を施して、その後、その補正後の描画データをビデオメモリ１５に出力する構成とする。すなわち、オペレーティングシステム（以下、「ＯＳ」と呼ぶ）に対して、サムネイル表示領域ＦＬ１３にサムネイルの表示を指示した後、ビデオメモリ１５の内容を読み出して、その内容におけるサムネイル表示領域ＦＬ１３に対応する部分に対して画像処理を施して、その処理後の描画データをビデオメモリ１５に戻す構成とする。ビデオメモリ１５を構成可能な全てのビデオボードが、アプリケーション側からデータを読み出し可能な訳ではないが、ビデオボードの機種によっては読み出しが可能なものがある。この変形例は、この種のビデオボードを用いることで実現可能である。なお、この変形例では、ビデオメモリ１５が本発明の「メモリ領域」に相当することになる。
【００６５】
また、ビデオメモリ１５から読み出す描画データは、前述したようにウィンドウ全体でなくても、１ペイン分、すなわち、サムネイル表示領域ＦＬ１３の部分であってもよい。この構成によれば、読み出した描画データ全体に画像処理を施せばよく、処理の構成が容易となる。
【００６６】
さらに、描画領域を用いない変形例の他の実施形態として、ビデオメモリ１５に対して、サムネイル表示領域ＦＬ１３にサムネイルを描画する処理を行ない、その後、ビデオメモリ１５内のサムネイル表示領域ＦＬ１３に対応する描画データを補正する（前記画像処理に基づく補正）構成とすることもできる。すなわち、アプリケーションプログラムがビデオメモリ１５内のサムネイル表示領域ＦＬ１３に対応する描画データを直接補正する構成としてもよい。
【００６７】
（２）前記実施例では、サムネイル表示領域ＦＬ１３内に描画された画像全体を一括して補正していることから、サムネイル部分は勿論のこと、図７に示すように、サムネイル表示領域ＦＬ１３内のサムネイルＴＨ以外の部分、すなわち、「番号」と「ファイル名」の文字列Ｃ１，Ｃ２や背景ＢＫの部分等も併せてモノトーン化されてしまう。そこで、この変形例では、サムネイル表示領域ＦＬ１３にサムネイルを表示させたときに、そのサムネイル以外の部分を隠すマスクデータを作成して、そのマスクデータでＲＡＭ１４の描画領域を覆った上で画像処理を施す構成とする。
【００６８】
図９は、図４で例示したサムネイル表示領域ＦＬ１３に対応したマスクデータＭＤを示す説明図である。図示するように、マスクデータＭＤは、サムネイル表示領域ＦＬ１３と同一のサイズを表わすもので、サムネイルが描画される領域ＸＴＨの部分が白色に、領域ＸＴＨ以外の部分が黒色にて表わされるビットマップ形式の画像データである。詳細には、まず、ＲＡＭ１４に確保した描画領域の内容を一旦別の領域にコピーした上で、上記描画領域の内容に対してマスクデータＭＤを合成する。次いで、マスクデータＭＤの合成された描画領域の内容に対して、画像処理を施す。その後、別の領域にコピーした内容に対して、上記マスクデータＭＤを反転した反転データを合成することで、サムネイル表示領域ＦＬ１３内のサムネイル以外の部分を表わす描画データを作成する。次いで、上記描画領域の内容に対して、上記描画データを上書きする。その後、描画領域の内容をビデオメモリ１５に出力することで、その描画領域に表わされたサムネイル表示領域ＦＬ１３の表示を行なう。この変形例によれば、サムネイル表示領域ＦＬ１３内のサムネイルＴＨの部分だけが補正処理がなされたものとなり、サムネイルＴＨ以外の部分、すなわち、「番号」と「ファイル名」の文字列Ｃ１，Ｃ２や背景ＢＫの部分等については、補正処理はなさることはない。
【００６９】
（３）前記実施例の説明では、フォトレタッチの機能である前述した第３の機能により対象画像データに対して施す画像処理については特に言及しなかった。これは、フォトアルバム機能とフォトレタッチ機能とが独立した構成であるためである。前記実施例では、操作者は、フォトレタッチとして行ないたい画像処理をまず考えて、その画像処理についての種類とパラメータの設定を図５，図６に示したユーザインタフェースによって行ない、フォトレタッチの処理において改めて同様な種類とパラメータの設定を行なうよう構成されていた。これに対して、変形例として、図５，図６に示したユーザインタフェースによって設定した画像処理の種類とパラメータを、フォトレタッチの機能に引き継ぐ構成としてもよい。すなわち、図５，図６に示したユーザインタフェースによって設定した画像処理の種類とパラメータをＲＡＭ１４に記憶しておき、フォトレタッチ機能において、前記記憶した画像処理の種類とパラメータから定まる画像処理を対象画像データに対して施す構成とする。この構成によれば、画像補正装置としても作業性を十分に高めることができる。
【００７０】
（４）前記実施例では、補正処理の種類と、補正の強度を示すパラメータとから画像処理を定める構成となっている。すなわち、補正処理の種類とパラメータとによって、本発明の「補正情報」が構成されている。これに換えて、変形例として、補正情報を補正処理の種類だけから構成される構成としてもよい。この場合の補正の強度は補正処理の種類毎に定まった一定値とすればよい。「補正情報」は、要は画像処理を定めることができれば、どのような構成としてもよい。
【００７１】
（５）前記実施例では、「所定の表示領域」を、１つのウィンドウを複数のペインに分割したときの１つのペインである構成としていたが、必ずしもペインに限る必要はなく、ウィンドウ全体を所定の表示領域としてもよく、要は表示装置の画面に形成される領域であればどのような領域とすることもできる。
【００７２】
（６）前記実施例では、画像データはカラー写真画像であったが、これに限る必要もなく、図柄等の画像データにも適用することができる。さらに、カラー画像に限る必要もなく、白黒画像であってもよい。
【図面の簡単な説明】
【００７３】
【図１】本発明の一実施例を適用するコンピュータシステムの概略構成を示す説明図である。
【図２】コンピュータプログラムＰｒにより表示されるアプリケーションウィンドウＷＤ１の初期状態を示す説明図である。
【図３】ＣＰＵ１１により実行されるサムネイル表示ルーチンを示すフローチャートである。
【図４】［一覧表から入力］用のウィンドウＷＤ２を示す説明図である。
【図５】［補正表示］アイコンＩＣ１２から開いたフィルタメニューＭＮの一例を示す説明図である。
【図６】［モノトーン化］用のダイアログボックスＤＢ１の一例を示す説明図である。
【図７】ステップＳ２１０の実行後の［一覧表から入力］用のウィンドウＷＤ２の一例を示す説明図である。
【図８】［作品ノート作成］用のダイアログボックスＤＢ２の一例を示す説明図である。
【図９】図４で例示したサムネイル表示領域ＦＬ１３に対応したマスクデータＭＤを示す説明図である。
【符号の説明】
【００７４】
１０...パーソナルコンピュータ
１１...ＣＰＵ
１２...バス
１３...ＲＯＭ
１４...ＲＡＭ
１５...ビデオメモリ
１６...ハードディスクドライブ
１７...入力制御部
１８...表示制御部
２０...ディスプレイ
２２...キーボード
２４...マウス
２６...デジタルカメラ
２８...プリンタ
３０...サムネイル描画部
３２...表示制御部
３４...補正情報入力部
３６...表示補正部
Ｄｐ...画像データ
Ｐｒ...コンピュータプログラム
ＷＤ１...アプリケーションウィンドウ
ＷＤ２...［一覧表から入力］用のウィンドウ
ＦＬ１３...サムネイル表示領域
ＴＨ...サムネイル
ＭＮ...フィルタメニュー
ＭＤ...マスクデータ
【図１】
0004609329.tif 000002
【図２】
0004609329.tif 000003
【図３】
0004609329.tif 000004
【図４】
0004609329.tif 000005
【図５】
0004609329.tif 000006
【図６】
0004609329.tif 000007
【図７】
0004609329.tif 000008
【図８】
0004609329.tif 000009
【図９】
0004609329.tif 000010